(57)【要約】      （修正有）【課題】外装部内に収容される装飾体を自由に取り替えて使用できるようにすることができる装身具用連結具、及び色彩の選択の幅を広げることができると共に、装飾体を比較的大きく豪華に見せることができる装身具を提供すること。【解決手段】内部に収容する装飾体２１を外部から視認することができ、この装飾体１２を出し入れするための開口部２１を有する外装部１３と、この外装部１３を身体に対して留めるための留め具１４とを互いに連結することができる装身具用連結具１１において、前記外装部１３の前記開口部を形成する開口縁部２１に設けられる枠部と、この枠部に対して着脱自在に係合し、前記開口部を開閉することができると共に、前記留め具１４と連結される蓋部とを備えた構成。【選択図】図１
0003140983.tif 000002
【実用新案登録請求の範囲】
【請求項１】
内部に収容する装飾体を外部から視認することができ、この装飾体を出し入れするための開口部を有する外装部と、この外装部を身体に対して留めるための留め具とを互いに連結することができる装身具用連結具において、
前記外装部の前記開口部を形成する開口縁部に設けられる枠部と、
この枠部に対して着脱自在に係合し、前記開口部を開閉することができると共に、前記留め具と連結される蓋部とを備えることを特徴とする装身具用連結具。
【請求項２】
前記枠部は、前記外装部に形成された前記開口縁部の内側に配置されるように環状に形成され、前記装飾体を通すことができる内孔を有する枠本体部と、前記開口縁部の外側に配置され、前記枠本体部との間に前記開口縁部を挟み込む環状の外嵌部とを備えることを特徴とする請求項１記載の装身具用連結具。
【請求項３】
前記枠本体部の内孔を形成する内周面に雌ねじ部が形成され、前記蓋部に前記雌ねじ部に螺合可能な雄ねじ部が形成されていることを特徴とする請求項２記載の装身具用連結具。
【請求項４】
内部に収容する装飾体を外部から視認することができ、この装飾体を出し入れするための開口部を有する外装部と、この外装部を身体に対して留めるための留め具と、前記外装部と前記留め具とを互いに連結することができる装身具用連結具とを備える装身具において、
前記装身具用連結具は、請求項１乃至３のいずれかに記載の装身具用連結具であることを特徴とする装身具。
【請求項５】
前記外装部は、筒形状であり、この外装部の両方の各端部が前記留め部及び前記装身具用連結具を介して互いに連結されるネックレス、ブレスレット、アンクレット、又は時計バンドに使用されるものであることを特徴とする請求項４記載の装身具。
【請求項６】
前記外装部が、網状体で形成され、前記装飾体が連珠であることを特徴とする請求項４又は５のいずれかに記載の装身具。
【考案の詳細な説明】
【技術分野】
【０００１】
本考案は、内部に収容する装飾体を外部から視認することができる外装部と、この外装部を身体に対して留めるための留め具とを互いに連結することができる装身具用連結具、及びこの装身具用連結具を備える装身具に関する。
【背景技術】
【０００２】
従来の装身具の一例として、図７に示すものがある。この装身具１は、指輪であり、環状に形成された装身具本体２と、真珠である装飾体３と、この装飾体３を装身具本体２に対して着脱自在に連結する連結部４とを備えている（例えば特許文献１参照）。この連結部４は装身具本体２に突設された雄ねじ部５と、装飾体３に設けられ、雄ねじ部５と着脱自在に螺合する雌ねじ部６とによって構成されている。
【０００３】
この装身具１によると、装飾体３が連結部４を介して着脱自在に装身具本体２に取り付けられているので、この装身体３を装身具本体２から取り外して、所望の別の装飾体に付け替えて使用することができる。
【特許文献１】実用新案登録第３０８６９０３号公報
【考案の開示】
【考案が解決しようとする課題】
【０００４】
しかし、図７に示す従来の装身具１では、装飾体３そのものが直接外観として現れるため、装飾体３が比較的小さいものでは、見劣りすることがある。
【０００５】
そして、例えば真珠等の装飾体３の色彩は、特定のものしか存在しておらず、色彩の選択の幅が比較的少ないので、この色彩の選択の幅を広げることが望まれている。
【０００６】
本考案は、上記のような課題を解決するためになされたものであり、外装部内に収容される装飾体を自由に取り替えて使用できるようにすることができる装身具用連結具、及び色彩の選択の幅を広げることができると共に、装飾体を比較的大きく豪華に見せることができる装身具を提供することを目的としている。
【課題を解決するための手段】
【０００７】
本考案に係る装身具用連結具は、内部に収容する装飾体を外部から視認することができ、この装飾体を出し入れするための開口部を有する外装部と、この外装部を身体に対して留めるための留め具とを互いに連結することができる装身具用連結具において、前記外装部の前記開口部を形成する開口縁部に設けられる枠部と、この枠部に対して着脱自在に係合し、前記開口部を開閉することができると共に、前記留め具と連結される蓋部とを備えることを特徴とするものである。
【０００８】
この考案に係る装身具用連結具によると、例えば装飾体が収容されている外装部を留め具に連結することができる。そして、留め具を使用して、この装飾体が収容されている外装部を身体に留めることができる。この装飾体は、外装部の外部から視認することができるので、この装飾体及び外装部によって身体を装飾することができる。また、蓋部を開くことによって、外装部に形成された開口部から装飾体をこの外装部内に挿入することができるし、外装部内に収容されている装飾体をこの開口部から取り出すことができる。このように、外装部内に収容される装飾体を、所望の装飾体に取り替えて使用することができる。
【０００９】
この考案に係る装身具用連結具において、前記枠部は、前記外装部に形成された前記開口縁部の内側に配置されるように環状に形成され、前記装飾体を通すことができる内孔を有する枠本体部と、前記開口縁部の外側に配置され、前記枠本体部との間に前記開口縁部を挟み込む環状の外嵌部とを備える構成とすることが好ましい。
【００１０】
このように、外装部に形成された開口縁部を、それぞれ環状に形成された枠本体部と外嵌部との間に挟み込んだ状態で、この開口縁部と枠部とを互いに結合する構成とすると、外装部の開口縁部と枠部とを強固に結合することができる。これによって、枠部を比較的小さくしても、必要な強度が得られ、見栄えのよい小型の装身具用連結具を提供することができる。また、環状に形成された枠本体部の内孔は、外装部に形成された開口部よりも小さいが、装飾体を通すことができる大きさに形成されている。
【００１１】
この考案に係る装身具用連結具は、前記枠本体部の内孔を形成する内周面に雌ねじ部が形成され、前記蓋部に前記雌ねじ部に螺合可能な雄ねじ部が形成されていることが好ましい。
【００１２】
このようにすると、蓋部と連結する留め具と、枠部が結合する外装部とを、互いに着脱自在に分離することができる。これによって、蓋部と連結する留め具と、枠部が結合する外装部と、装飾体とを自由に組み合わせて装身具を作ることができる。これによって、形状、模様、色彩等が相違する多くの種類の装身具を作ることができ、使用者は、この中から好みのものを作って使用することができる。
【００１３】
本考案に係る装身具は、内部に収容する装飾体を外部から視認することができ、この装飾体を出し入れするための開口部を有する外装部と、この外装部を身体に対して留めるための留め具と、前記外装部と前記留め具とを互いに連結することができる装身具用連結具とを備える装身具において、前記装身具用連結具は、本考案に係る装身具用連結具であることを特徴とするものである。
【００１４】
この考案に係る装身具によると、この考案に係る装身具用連結具を備えており、この装身具用連結具で説明したように作用し、使用することができる。
【００１５】
この考案に係る装身具において、前記外装部は、筒形状であり、この外装部の両方の各端部が前記留め部及び前記装身具用連結具を介して互いに連結されるネックレス、ブレスレット、アンクレット、又は時計バンドに使用されるものとすることが好ましい。
【００１６】
このように、外装部を筒形状とし、この外装部の両方の各端部を留め部及び装身具用連結具によって互いに連結できるようにすることによって、この装身具を、ネックレス、ブレスレット、又はアンクレットとして使用することができる。
【００１７】
この考案に係る装身具において、前記外装部が、網状体で形成され、前記装飾体を連珠とするとよい。
【００１８】
このように、外装部を網状体で形成すると、外装部内に収容されている装飾体を外部から視認することができる。そして、網状体で形成された外装部内に収容されている連珠が、この網状体に覆われた状態での外観は、連珠の形状、模様、色彩等と、網状体の形状、模様、色彩等とが互いに混ざり合って独特の美感を奏することができる。
【考案の効果】
【００１９】
この考案に係る装身具用連結具及び装身具によると、外装部に形成されている開口部を蓋部で開閉できる構成としたので、外装部内に収容される装飾体を、所望の装飾体に取り替えて使用することができる。従って、外装部と、装飾体とを自由に組み合わせて装身具を作ることができる。これによって、形状、模様、色彩等が相違する多くの種類の装身具を作ることができ、使用者は、この中から好みのものを作って使用することができる。
【００２０】
そして、この考案に係る装身具によると、外装部は、内部に収容する装飾体を外部から視認することができるものであるので、外装部内に収容されている装飾体が、この外装部に覆われた状態での外観は、装飾体の形状、模様、色彩等と、外装部の形状、模様、色彩等とが互いに混ざり合って独特の美感を奏することができる。そして、装飾体を外装部で覆っているので、装飾体を比較的大きく、豪華に見せることができる。
【考案を実施するための最良の形態】
【００２１】
以下、本考案に係る装身具用連結具（以下、単に「連結具」と言うこともある。）、及びこの装身具用連結具を備える装身具の第１実施形態を、図１〜図６を参照して説明する。
【００２２】
この装身具１０は、図１に示すように、ネックレスに適用されており、図２は装身具１０に設けられている連結具１１示す部分拡大正面図である。図３は、連結具１１を更に拡大した部分拡大正面図である。
【００２３】
装身具１０は、図１に示すように、内部に収容する装飾体１２を外部から視認することができ、この装飾体１２を出し入れするための開口部２２（図３参照）を有する外装部１３と、この外装部１３を身体に対して留めるための留め具１４と、外装部１３の両方の各端部と留め具１４とを互いに連結することができる装身具用連結具１１とを備え、全体として環状に形成されている。
【００２４】
外装部１３は、図１〜図３に示すように、網状体を使用して略円筒形状に形成されたものである。外装部１３の両方の各端部には、装飾体１２を出し入れするための開口部２２が形成され、そしてこの外装部１３は、装飾体１２を収容できる長さ及び内径に形成されている。
【００２５】
装飾体１２は、図２及び図３に示すように、連珠であり、この装飾体１２を構成するそれぞれの珠１７には、貫通孔１８が形成されている。そして、これら各貫通孔１８には連結糸１９が挿通され、これによってそれぞれの珠１７が互いに連結されている。そして、連結糸１９の両端部には、各珠１７が連結糸１９から外れないように係止するための係止具２０が設けられている。
【００２６】
装飾体１２を構成するそれぞれの珠１７として、直径が略３ｍｍのアコヤ真珠が用いられている。ただし、それぞれの珠１７として、黒蝶真珠、ケシ真珠その他の真珠を用いても良い。また、この珠の直径も略３ｍｍのものに限られるものではなく、様々な大きさを有する珠を用いることができる。そして、そのような装飾体１２に応じた大きさ及び形状に外装部１３を形成する。
【００２７】
更に、装飾体１２は、連珠に限られるものではなく、クリスタルガラス、ジルコニア、ダイヤモンド、その他の宝石類や造形を施した貴金属類を連ねて形成したものも、装飾体１２として使用することができる。これによって、多くの種類の装飾体のうちから所望の装飾体を選択して、その選択した装飾体を外装部１３内に装着して、例えばネックレスとして使用することができる。
【００２８】
次に、装身具用連結具１１を図２、図３及び図４等を参照して説明する。この連結具１１は、図２に示すように、外装部１３の両方の各端部にそれぞれ１つずつ設けられ、それぞれの連結具１１と連結具１１とは、留め具１４を介して互いに連結されている。この２つの連結具１１は、互いに同等のものであるので、一方の連結具１１を説明し、他方の連結具１１の説明を省略する。
【００２９】
図４（ａ）は連結具１１の分解断面図、図４（ｂ）は組み立てられた連結具１１の斜視図である。これらの図に示すように、連結具１１は、互いに着脱自在に螺合することができる枠部２４と蓋部２５とを備えている。
【００３０】
枠部２４は、図３及び図４（ａ）に示すように、枠本体部２６と外嵌部２７とを備え、それぞれが円環状に形成されている。
【００３１】
枠本体部２６は、図３及び図４（ａ）に示すように、所定の長さの略短円筒形状の第１環状部２８を有し、この第１環状部２８の一端部には、その外周面から半径方向の外側に伸延する鍔状の第２環状部２９が形成されている。そして、第１環状部２８には、その軸線方向に貫通する内孔３０が形成されている。この内孔３０は、装飾体１２を挿通することができる大きさに形成され、この内孔３０を形成する第１環状部２８の内周面には、雌ねじ部３２が形成されている。この雌ねじ部３２は、蓋部２５に形成された雄ねじ部３３と螺合できるものである。
【００３２】
また、第１環状部２８は、図３に示すように、第２環状部２９が形成されていない側の端部が、外装部１３の両方の各端部に形成された開口縁部２１の内側に配置することができる大きさに形成されている。
【００３３】
外嵌部２７は、図３に示すように、略短円筒形状に形成され、外装部１３の両方の各端部に形成された開口縁部２１の外側に嵌合して配置することができると共に、枠本体部２６の第１環状部２８との間に開口縁部２１を挟み込むことができる形状及び大きさに形成されている。
【００３４】
そして、図３に示す連結具１１の枠部２４（枠本体部２６及び外嵌部２７）と、外装部１３とは、例えばろう付け加工によって互いに結合されている。図３に示すように、連結具１１の枠部２４と、外装部１３とを連結する方法として、例えばまず、外装部１３の一端部である開口縁部２１を外嵌部２７の内孔３４に挿入して、その開口縁部２１の先端が外嵌部２７の奥側の開口端部から少し突出した状態となるように、この外装部１３の開口縁部２１を配置する。そして、この状態において、外嵌部２７の内周面３５と、外装部１３の開口縁部２１とをろう付け加工によって結合する。
【００３５】
そして、図３に示すように、この外嵌部２７が外側に結合した外装部１３の開口縁部２１内に第１環状部２８を挿入して、この開口縁部２１と第１環状部２８とを互いに嵌合させて、この開口縁部２１と第１環状部２８とを互いにろう付け加工により結合する。この状態で、枠本体部２６の内孔３０と、外装部１３の開口部２２とは、互いに連通する状態となっている。枠部２４をこのように構成すると、枠部２４を比較的小さくしても、必要な強度が得られ、見栄えの良い小型の連結具１１を提供することができる。
【００３６】
蓋部２５は、図４（ａ）、（ｂ）に示すように、枠本体部２６の雌ねじ部３２に螺合することができる雄ねじ部３３を有し、この雄ねじ部３３の一端に頭部３６が設けられ、頭部３６の外面に連結環３７が設けられている。この頭部３６は円板状に形成されている。この頭部３６、第２環状部２９及び外嵌部２７のそれぞれの外径は、略同一の寸法に形成されている。この連結環３７は、図３に示すように、留め具１４が連結される。
【００３７】
留め具１４は、図２に示すように、外装部１３の両方の各端部にそれぞれ設けられている２つの連結具１１、１１を互いに係脱自在に連結するものである。この留め具１４は、所定の長さに形成された鎖部３８と、係止部３９とを備え、更にこの鎖部３８と係止部３９と互いに係脱自在に連結する係脱部４０を備えている。この鎖部３８の一端は、一方の連結具１１の連結環３７と連結し、係止部３９は他方の連結具１１の連結環３７と連結している。
【００３８】
次に、上記のように構成された装身具１０の作用を、図２及び図５を参照して説明する。今、図２に示すように、装飾体１２が外装部１３内に収納され、２つの各連結具１１、１１のそれぞれの枠部２４と蓋部２５とは互いに螺合され、更に、２つの連結具１１、１１は、留め具１４を介して互いに連結しているとする。
【００３９】
まず、装飾体１２を外装部１３から取り出して別の装飾体に取り替えるときは、図５に示すように、係脱部４０を操作して、鎖部３８と係止部３９とを引き離し、連結具１１の蓋部２５と枠部２４とを互いに引き離す。これによって、外装部１３内の装飾体１２を、枠本体部２６の内孔３０に通して外装部１３から取り出すことができる。そして、所望の別の装飾体を、枠本体部２６の内孔３０に通して外装部１３内に挿入し、しかる後に、連結具１１の蓋部２５と枠本体部２６とを螺合させることにより連結する。そして、図２に示すように、係脱部４０を操作して、鎖部３８と係止部３９とを互いに連結する。このようにして、装飾体１２を取り替えることができる。
【００４０】
次に、図２に示す装身具１０の外装部１３を別の外装部と取り替える手順を説明する。ただし、この別の外装部は、図２に示す外装部１３と同様に、両方の各端部に枠部２４が取り付けられている。まず、図２に示す外装部１３の両方の各端部に取り付けられている連結具１１、１１が備えるそれぞれの蓋部２５と枠部２４とを互いに引き離す。次に、別の外装部の両方の各端部に取り付けられているそれぞれの枠部２４、２４を、留め具１４の両方の各端部に取り付けられている蓋部２５、２５に螺合させて接続する。このようにして、外装部１３を取り替えることができる。そして、外装部１３を取り替えるときは、外装部１３と共に、装飾体１２も取り替えることができる。
【００４１】
また、図２に示す装身具１０を首に掛けるときは、係脱部４０を操作して留め具１４の鎖部３８と係止部３９とを引き離してこの装身具１０を首にあてがい、そして、係脱部４０を操作して留め具１４の鎖部３８と係止部３９とを互いに連結する。
【００４２】
このように、この連結具１１、及び装身具１０によると、外装部１３の両端部に取り付けられている枠本体部２６の内孔３０（開口部２２）を、蓋部２５で開閉できる構成としたので、外装部１３内に収容されている装飾体１２を、所望の装飾体に取り替えて使用することができる。
【００４３】
つまり、装飾体１２と、外装部１３とを自由に組み合わせることができるので、形状、模様、色彩等が相違する多くの種類の装身具を作ることができる。よって、使用者は、この中から好みのものを作って使用することができる。
【００４４】
また、枠本体部２６の内周面３１に雌ねじ部３２が形成されていると共に、蓋部２５に雌ねじ部３２に螺合可能な雄ねじ部３３が形成されているので、蓋部２５、２５と連結する留め具１４と、枠部２４、２４が結合する外装部１３とを互いに着脱自在に分離することができる。これによって、蓋部２５、２５が連結する留め具１４と、枠部２４、２４が結合する外装部１３と、装飾体１２とを自由に組み合わせて装身具１０を作ることができる。これによって、形状、模様、色彩等が相違する多くの種類の装身具１０を作ることができ、使用者は、この中から好みのものを作って使用することができる。
【００４５】
更に、外装部１３は網状体で形成されているので、装飾体１２を外装部１３の外部から視認することができる。よって、この装飾体１２及び外装部１３の両方で使用者の身体を装飾することができる。そして、外装部１３内に収容されている装飾体１２が、この外装部１３に覆われた状態での外観は、装飾体１２の形状、模様、色彩等と、外装部１３の形状、模様、色彩等とが互いに混ざり合って独特の美感を奏することができる。そして、装飾体１２を外装部１３で覆っているので、装飾体１２を比較的大きく、豪華に見せることができる。
【００４６】
そして、連結具１１の外嵌部２７、枠本体部２６の第２環状部２９、蓋部２５の頭部３６のそれぞれ外径は、略同一の寸法に形成され、連結具１１は全体として円柱状に形成されているので、連結具１１の外周面に、衣服等が引っかかる原因となる段差が形成されず、衣服等が傷付くことがない。
【００４７】
ただし、上記実施形態においては、図２に示すように、外装部１３の両方の各端部にそれぞれ連結具１１を設けた構成としたが、これに代えて、外装部１３のいずれか一方の端部に連結具１１を設けた構成としてもよい。
【００４８】
そして、上記実施形態においては、枠部２４と蓋部２５との連結手段は、図３に示すように、雌ねじ部３２と雄ねじ部３３とが螺合する構成としたが、これに限られるものではない。例えば、図６（ａ）に示すように、蓋部５７がヒンジ部５０を介して揺動自在に枠本体部５８に連結すると共に、枠本体部５８に係止部５１を設け、蓋部５７が閉じた状態で係止部５１が枠本体部５８の凸部５９と係合して蓋部５７を閉状態に保持する構成としてもよい。開蓋するときは、係止部５１をバネによるバネ力に抗して押し込むことによって、係止部５１を枠本体部５８の凸部５９から外すことができる。これで蓋部５７を開けることができる。
【００４９】
また、他の例として、図６（ｂ）に示すように、蓋部６０を枠本体部６１と別個に形成すると共に、枠本体部６１に２つの係止部５１、５１を互いに対向する位置に設け、蓋部６０が閉じた状態で２つの各係止部５１、５１が枠本体部６１の２つの各凸部６２、６２と係合して蓋部６０を閉状態に保持する構成としてもよい。開蓋するときは、２つの係止部５１、５１をバネによるバネ力に抗して押し込むことによって、係止部５１、５１を枠本体部６１の凸部６２、６２から外すことができる。これで蓋部６０を開けることができる。
【００５０】
更に、例えば、図６（ｃ）に示すように、蓋部６３に枠本体部６４の内孔６５と嵌合する係止突起５５を設けると共に、枠本体部６４の第２環状部６６が設けられている部分に円環状の磁石５６を設けた構成としてもよい。この磁石５６は、磁性体で形成された蓋部６３を磁力によって吸引して、蓋部６３を枠本体部６４に吸着させて閉蓋状態を維持することができる。開蓋するときは、この磁石５６の吸引力に抗して蓋部６３を枠本体部６４から引き離す。
【００５１】
そして、上記実施形態では、外装部１３及び連結具１１は、例えば１８金が用いられているが、これ以外の合金や単体金属を用いてもよい。これによって、多くの種類の外観を有する外装部１３及び連結具１１を製作することができる。このように多くの種類の外装部１３及び連結具１１を品揃えすることによって、使用者は、この中から好みのものを購入して使用することができる。
【００５２】
また、上記実施形態においては、本発明に係る装身具をネックレスに適用したが、これに代えて、ブレスレット、アンクレット又は時計のバンドに適用することができる。装身具をブレスレット又はアンクレットに適用する場合は、外装部１３及び装飾体１２の長さをブレスレット又はアンクレットとして用いるのに適切な長さに規定すればよい。
【００５３】
また、時計のバンドに適用する場合は、外装部１３及び装飾体１２の長さを時計のバンドとして用いるのに適切な長さに形成すると共に、装飾体１２が収容されている外装部１３の両方の各端部に連結具１１を結合したものを２つ用意する。そして、２つの外装部１３のそれぞれの一方の連結具１１を時計本体部に連結する。更に、２つの外装部１３のそれぞれの他方の連結具１１を留め具１４で互いに連結すればよい。
【００５４】
更に、上記実施形態においては、連結具１１の枠本体部２６と、外装部１３とは、ろう付け加工によって結合したが、これに代えて、レーザー溶接で結合してもよい。
【産業上の利用可能性】
【００５５】
本考案に係る装身具用連結具及び装身具は、外装部内に収容される装飾体を、所望の装飾体に取り替えて使用することができ、外装部と、装飾体とを自由に組み合わせて装身具を作ることができる優れた効果を有し、このような装身具用連結具及び装身具に適用するのに適している。
【図面の簡単な説明】
【００５６】
【図１】この考案に係る装身具用連結具を備える装身具の一実施形態に係る正面図である。
【図２】同実施形態に係る装身具用連結具を備える装身具の部分拡大図である。
【図３】同実施形態に係る装身具用連結具を備える装身具を更に拡大した部分拡大断面図である。
【図４】同実施形態に係る連結具を示す図であり、（ａ）はその分解断面図、（ｂ）はそれを組み立てた斜視図である。
【図５】同実施形態に係る装身具用連結具を備える装身具の使用方法を説明するための部分拡大図である。
【図６】同考案に係る装身具用連結具の他の実施形態を示す図であり、（ａ）は係止部とヒンジ部を有するものを示す縦断面図、（ｂ）は２つの係止部を有するものを示す縦断面図、（ｃ）は磁石を有するものを示す縦断面図である。
【図７】従来例の装身具を示す部分断面正面図である。
【符号の説明】
【００５７】
１０    装身具
１１    装身具用連結具
１２    装飾体
１３    外装部
１４    留め具
１７    珠
２１    開口縁部
２２    開口部
２４    枠部
２５    蓋部
２６    枠本体部
２７    外嵌部
３０    （枠本体部の）内孔
３２    （枠本体部の）雌ねじ部
３３    （蓋部の）雄ねじ部
【図１】
0003140983.tif 000003
【図２】
0003140983.tif 000004
【図３】
0003140983.tif 000005
【図４】
0003140983.tif 000006
【図５】
0003140983.tif 000007
【図６】
0003140983.tif 000008
【図７】
0003140983.tif 000009